(57)【特許請求の範囲】
【請求項１】
コンテンツ情報を送信する路側無線装置と、前記コンテンツ情報を受信する車載器と、を備えて構成される配信システムであって、
前記路側無線装置は、
前記コンテンツ情報に送信完了を示す終端コードを含ませて、当該コンテンツ情報を前記車載器に送信する送信制御手段を備え、
前記車載器は、
前記終端コードに基づいて、前記コンテンツ情報の受信が完了したか否かについて判断する制御手段を備え、
前記制御手段は、受信したコンテンツ情報に終端コードが含まれていて、電源ＯＦＦの要求がない場合、前記受信したコンテンツ情報が即時再生コンテンツであるか否かについて判断し、前記即時再生コンテンツである場合に前記即時再生コンテンツを再生させる配信システム。
【請求項２】
コンテンツ情報を構成する複数の情報グループを順次に受信し、かつ、最後に受信する情報グループのヘッダに含まれる終端コードに基づいて、前記コンテンツ情報の受信が完了したか否かについて判断する制御手段を備え、
前記制御手段は、受信したコンテンツ情報に終端コードが含まれていて、電源ＯＦＦの要求がない場合、前記受信したコンテンツ情報が即時再生コンテンツであるか否かについて判断し、前記即時再生コンテンツである場合に前記即時再生コンテンツを再生させる車載器。
【請求項３】
前記制御手段は、前記終端コードを含む情報グループを受信するまで、前記コンテンツ情報を継続して受信させる請求項２に記載の車載器。
【請求項４】
表示手段を備え、
前記制御手段は、前記終端コードに基づいて、前記コンテンツ情報の受信が完了したと判断した場合、予め定められた受信完了通知画面を前記表示手段に表示させる請求項２又は３に記載の車載器。
【請求項５】
前記制御手段は、前記終端コードを含む情報グループから次再生コードを取得し、当該取得した次再生コードと予め定められたボタン画面情報とを対応付けて、当該ボタン画面情報を前記表示手段に表示させる請求項４に記載の車載器。
【請求項６】
前記制御手段は、前記終端コードを含む情報グループから次再生コードを取得しない場合、１番始めに前記表示手段に表示すべき情報グループであることを示す開始コードと予め定められたボタン画面情報とを対応付けて、当該ボタン画面情報を前記表示手段に表示させる請求項４又は５に記載の車載器。
【発明の詳細な説明】
【技術分野】
【０００１】
本発明は、配信システム及び車載器に関する。
【背景技術】
【０００２】
近年、ＤＳＲＣ（Dedicated Short Range Communication）を利用して、路上に設置された路側無線装置と狭域無線通信する車載器が普及している。ＤＳＲＣによれば、車載器は路側無線装置から各種情報（以下、「コンテンツ情報」という）を受信することができ、ユーザは地域に密着した情報を容易に取得することが可能となる。
【０００３】
特許文献１によれば、ＤＳＲＣによって受信したコンテンツ情報を記憶しておき、車両が無線通信可能エリアの外に移動した場合であっても、受信したコンテンツ情報を再生し得る車載器が開示されている。
【特許文献１】特開２００７−１０９０３２号公報
【発明の開示】
【発明が解決しようとする課題】
【０００４】
ところで、コンテンツ情報を受信中に車両が無線通信可能エリアの外に移動した場合、車載器はコンテンツ情報の受信処理を完了せずに無線通信を中断してしまう。このような場合、受信処理が完了していない旨をユーザに通知することが望ましい。
また、車両のエンジンが切られたことに連動して車載器の電源も切られるような場合、受信処理を完了させた後に車載器の電源が切られるような制御を行い得ることが望ましい。
【０００５】
本発明の目的は、受信処理が完了していない旨を通知し、又は受信処理が完了した後に無線通信を中断し得る配信システム及び車載器を提供することである。
【課題を解決するための手段】
【０００６】
請求項１に記載の発明によれば、
コンテンツ情報を送信する路側無線装置と、前記コンテンツ情報を受信する車載器と、を備えて構成される配信システムであって、
前記路側無線装置は、
前記コンテンツ情報に送信完了を示す終端コードを含ませて、当該コンテンツ情報を前記車載器に送信する送信制御手段を備え、
前記車載器は、
前記終端コードに基づいて、前記コンテンツ情報の受信が完了したか否かについて判断する制御手段を備え、
前記制御手段は、受信したコンテンツ情報に終端コードが含まれていて、電源ＯＦＦの要求がない場合、前記受信したコンテンツ情報が即時再生コンテンツであるか否かについて判断し、前記即時再生コンテンツである場合に前記即時再生コンテンツを再生させる配信システムが提供される。
【００１０】
請求項２に記載の発明によれば、
コンテンツ情報を構成する複数の情報グループを順次に受信し、かつ、最後に受信する情報グループのヘッダに含まれる終端コードに基づいて、前記コンテンツ情報の受信が完了したか否かについて判断する制御手段を備え、
前記制御手段は、受信したコンテンツ情報に終端コードが含まれていて、電源ＯＦＦの要求がない場合、前記受信したコンテンツ情報が即時再生コンテンツであるか否かについて判断し、前記即時再生コンテンツである場合に前記即時再生コンテンツを再生させる車載器が提供される。
【００１１】
請求項３に記載の発明によれば、請求項２に記載の発明において、
前記制御手段は、前記終端コードを含む情報グループを受信するまで、前記コンテンツ情報を継続して受信させる車載器が提供される。
【００１２】
請求項４に記載の発明によれば、請求項２又は３に記載の発明において、
表示手段を備え、
前記制御手段は、前記終端コードに基づいて、前記コンテンツ情報の受信が完了したと判断した場合、予め定められた受信完了通知画面を前記表示手段に表示させ、前記コンテンツ情報の受信が完了していないと判断した場合、予め定められた受信エラー通知画面を前記表示手段に表示させる車載器が提供される。
【００１３】
請求項５に記載の発明によれば、請求項４に記載の発明において、
前記制御手段は、前記終端コードを含む情報グループから次再生コードを取得し、当該取得した次再生コードと予め定められたボタン画面情報とを対応付けて、当該ボタン画面情報を前記表示手段に表示させる車載器が提供される。
【００１４】
請求項６に記載の発明によれば、請求項４又は５に記載の発明において、
前記制御手段は、前記終端コードを含む情報グループから次再生コードを取得しない場合、１番始めに前記表示手段に表示すべき情報グループであることを示す開始コードと予め定められたボタン画面情報とを対応付けて、当該ボタン画面情報を前記表示手段に表示させる車載器が提供される。
【発明の効果】
【００１５】
本発明によれば、コンテンツ情報の受信処理が完了したか否かについて、車載器が判断する事ができ、受信したコンテンツ情報に終端コードが含まれていて、電源ＯＦＦの要求がない場合、受信したコンテンツ情報が即時再生コンテンツであるか否かについて判断し、即時再生コンテンツである場合に車載器が即時再生コンテンツを再生させる事ができる。よって、コンテンツ情報の受信中に無線通信が中断されるような場合、受信処理を完了せずに中断した旨をユーザに通知し、又は無線通信を中断する前に受信処理を完了させることができる。また、受信完了後には、車載器の電源を切るようにすることも可能となる。
【発明を実施するための最良の形態】
【００１６】
＜第１実施形態＞
まず、構成を説明する。
図１に、第１実施形態における配信システム１００の構成図を示す。
配信システム１００は、車両Ｃに搭載された車載器１０、路側無線装置２０、センター装置３０を備えて構成される。
車載器１０は、ＤＳＲＣによる無線通信によって、コンテンツ情報を受信する。コンテンツ情報とは、店舗情報や駐車場情報であって、テキスト、画像又は音声から構成される。コンテンツ情報については、図４、図５で後述する。
路側無線装置２０は、路上や駐車場等に設置され、ネットワークＮを介してセンター装置３０と接続されている。また、路側無線装置２０は、ＤＳＲＣによる無線通信によって、車載器１０にコンテンツ情報を送信する。
センター装置３０は、路側無線装置２０を介して車載器１０にコンテンツ情報を配信する。なお、図１では１台のセンター装置３０のみ示したが、コンテンツ情報を配信する配信事業者は複数あり、センター装置３０は配信事業者毎に備えられるものであってもよい。
【００１７】
以下、路側無線装置２０及び車載器１０の各構成について説明する。
図２に、路側無線装置２０の構成を示す。
路側無線装置２０は、本体装置２０ａとアンテナ２０ｂとから構成されている。路側無線装置２０は、道路脇、道路上方又は駐車場脇等に設置されたアンテナ２０ｂから、到達距離が限定されたＤＳＲＣの電波を放射して、路側無線装置２０近傍に路側エリアＺを形成する。路側無線装置２０は、この路側エリアＺ内にある車両Ｃの車載器１０とだけ双方向狭域無線通信が可能となる。
【００１８】
ＤＳＲＣは５．８ＧＨｚ帯域の電波を使った通信方式であり、その通信範囲は数メートルから数十メートルである。路側無線装置２０からのＤＳＲＣの送信出力は何れも同じ程度に設定されているので、複数の路側無線装置２０がそれぞれ形成する路側エリアＺは設置場所に関係なくほぼ一定である。
【００１９】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０に転送する。本体装置２０ａは、情報処理や通信制御を行う送信制御部、記憶部等を備えたコンピュータ端末を適用することができる。なお、本体装置２０ａは、センター装置３０の機能の一部又は全部を有するとしてもよい。
【００２０】
車載器１０は、車両Ｃに搭載され、搭載された車両Ｃを目的地へ誘導するための処理等を行うナビゲーション機能の他、ＤＳＲＣによるＥＴＣ（Electronic Toll Collection System）利用のための処理を行う機能等を有している。
【００２１】
図３に、車載器１０の構成を示す。
車載器１０は、カーナビ部１、通信モジュール２、ＤＳＲＣ部３、制御部４等を備えて構成されている。
【００２２】
カーナビ部１は、カーナビ制御部１ａ、現在地検出部１ｂ、地図記憶部１ｃ、入力部１ｄ、表示部１ｅ、記憶部１ｆ、音声出力部１ｇ等を備え、車両Ｃの現在地から目的地までの経路を算出し、当該経路に従って車両Ｃを目的地へ誘導するための処理を行う。
【００２３】
カーナビ制御部１ａは、現在地検出部１ｂから検出された現在地の位置情報及び地図記憶部１ｃに記憶された地図情報等に基づいて、車両Ｃの現在地から入力部１ｄを介して設定された目的地までの経路を算出する。そして、地図記憶部１ｃに記憶されている地図情報を用いて算出した経路へ誘導するための地図画面を生成し、表示部１ｅにより表示させ、ナビゲーション制御手段として機能する。
【００２４】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す位置情報（経度、緯度等の情報）を生成し、カーナビ制御部１ａに出力する。
【００２５】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２６】
入力部１ｄは、操作キーや表示部１ｅと一体に構成されるタッチパネル等から構成されている。入力部１ｄは、これらの操作に対応する操作信号を生成し、制御部４に出力し、入力手段として機能する。
【００２７】
表示部１ｅは、モニタを備え、制御部４の制御に従ってモニタ上に各種情報を表示する。例えば、設定画面や地図画面、センター装置３０から受信したコンテンツ情報の内容を画面等に表示し、表示手段として機能する。
【００２８】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０から受信したコンテンツ情報を複数記憶し、記憶手段として機能する。
【００２９】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００３０】
通信モジュール２は、光通信用、ＦＭ通信用、２．４ＧＨｚ電波通信用のアンテナをそれぞれ備え、通信センターと光通信、ＦＭ通信、電波通信等の各種通信を行う。例えば、通信モジュール２は通信センターから渋滞情報や道路交通情報等を受信し、制御部４に出力する。なお、通信センターとしてはＶＩＣＳセンター等を挙げることができるが、これに限らず、また、通信センターから受信する情報としては、渋滞情報や道路交通情報に限らない。なお、通信モジュール２は他にもＷｉＭａｘ（Worldwide Interoperability for Microwave Access）等のＤＳＲＣ以外の通信手段を使用することにより、インターネット等の情報を入手することもできる。
【００３１】
ＤＳＲＣ部３は、ＤＳＲＣ制御部３ａ、通信部３ｂ、記憶部３ｃ、ＥＴＣ処理部３ｄ、ＩＣカードＩ／Ｆ３ｅを備えて構成されており、ＤＳＲＣによるＥＴＣ利用のための処理や、センター装置３０からコンテンツ情報を受信するための通信処理等を行う通信手段として機能する。
【００３２】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｄにより決済情報の書込処理を行わせる。
また、通信部３ｂにより路側無線装置２０を介してコンテンツ情報を受信した場合には、当該コンテンツ情報を制御部４に出力する。
【００３３】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
記憶部３ｃは、ＤＳＲＣ制御部３ａにより実行される制御プログラム等を記憶する。
ＥＴＣ処理部３ｄは、ＩＣカードＩ／Ｆ３ｅに挿抜されるＩＣ付きクレジットカード又はデビットカード等に対して決済情報等の読み書きを行う。
ＩＣカードＩ／Ｆ３ｅは、上記クレジットカード等のスロットを備え、このスロットに挿入されたクレジットカード等のＩＣとＥＴＣ処理部３ｄとの間で情報のやりとりを仲介する。
【００３４】
制御部４は、ＣＰＵ（Central Processing Unit）、ＲＡＭ（Random Access Memory）等から構成され、記憶部１ｆ及び記憶部３ｃに記憶された制御プログラムとの協働により各種演算を行う他、各部の集中制御を行う。例えば、路側無線装置２０との無線通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生、削除の制御等を行う。
【００３５】
図４Ａに、路側無線装置２０から車載器１０に送信されるコンテンツ情報のデータ構成例を示す。コンテンツ情報は、複数の情報グループから構成される１まとまりの情報で配信される。これ以降、コンテンツ情報と情報グループとを区別して説明する。
１つの情報グループは、通常カーナビにおいて表示されるコンテンツの１ページ分に対応し、各情報グループには、ヘッダ及び識別符号（ＩＤ）によって特徴付けられた複数の情報が含まれる。
【００３６】
ヘッダには、情報グループの（１）情報コード、及び（２）情報グループのデータ情報量、が含まれる。
ヘッダに含まれる（１）情報コードは、情報グループごとにユニークに割り付けられたコードであり、車載器１０は、情報コードに基づいて、受信した情報グループ（又はコンテンツ情報）を識別することができる。
第１実施形態では、路側無線装置が送信する情報グループのうち、最後に送信する情報グループｎの情報コードを例えば「０×ＦＦＦＦＦＦＦＦＦＦ」とする。「０×ＦＦＦＦＦＦＦＦＦＦ」の情報コードは、配信終了を示す情報コードである。以下、「０×ＦＦＦＦＦＦＦＦＦＦ」を「終端コード」として説明する。
【００３７】
図４Ｂに、情報グループの他のデータ構成例を示す。
１つの情報グループが大容量となる場合、路側無線装置２０は、情報グループを分割して車載器１０に送信する。このとき、路側無線装置２０は、分割した各情報グループ（情報グループ１−１、１−２、・・・１−ｎ）に、プッシュ通信コマンドを付加して送信する。
プッシュ通信コマンドには、（１）情報グループ１の情報量、及び（２）分割された各情報グループの情報量が含まれる。車載器１０は、プッシュ通信コマンドを解析することで、情報グループ単位の情報量及び分割単位の情報グループの情報量を把握することができる。
【００３８】
図５に、各ＩＤの情報の概要を示す。
図５に示すように、ＩＤ毎に情報の内容が分類されている。
「ＩＤ００」の情報は、コンテンツ情報が持つＩＤの一覧を示す情報である。ＩＤ＝００を参照することによりコンテンツ情報内に後述するどのＩＤの情報が含まれているかを判断することができる。ここで、それぞれのコンテンツ情報は必ずしも全てのＩＤを持つわけではなく必要なＩＤのみを持つ。例えば、あるコンテンツ情報はＩＤ００〜０５により特徴付けられた情報を持ち、また別のあるコンテンツ情報はＩＤ００〜ＩＤ０５、ＩＤ１０、ＩＤ３０により特徴付けられた情報を持つ。なお、ＩＤ００、ＩＤ０１、ＩＤ０２は基本的な情報であり、全てのコンテンツ情報は、これらのＩＤの情報を持つ。
【００３９】
「ＩＤ０１」の情報は、事業者を示す情報である。具体的には、「ＩＤ０１」の情報は、「サービス事業者コード」、「サービス事業者表示テキスト」、「サービス事業者表音文字列」を含む。
【００４０】
「サービス事業者コード」とは、ＤＳＲＣの運用を管理する団体で規定されたコードで、サービス事業者毎にユニークに割り付けられる。このコードに基づいて、サービス事業者を特定できる。
「サービス事業者表示テキスト」とは、ナビ表示用サービス事業者名（サービス名）テキスト情報であり、サービス事業者をＩＴＳ車載器の利用者に通知する目的で使用される。
「サービス事業者表音文字列」とは、ナビ発話用サービス事業者名（サービス名）表音文字列であり、サービス事業者やサービス名称等をＩＴＳ車載器の利用者に音声で通知する際に用いられる。
【００４１】
「ＩＤ０２」の情報は、コンテンツ情報の内容を詳細に示す情報である。具体的には、「ＩＤ０２」の情報は、「情報提供企業コード」、「情報提供企業表示テキスト」、「情報提供企業表音文字列」、「情報コード」、「情報表示テキスト」、「情報表音文字列」、「嗜好データカテゴリ」を含む。
【００４２】
「情報提供企業コード」とは、コンテンツの提供元を示すコードであり、サービス事業者によって割り当てられる。
「情報提供企業表示テキスト」とは、ナビ表示用情報提供企業名テキスト情報であり、情報提供企業をＩＴＳ車載器の利用者に通知する目的で使用される。
「情報提供企業表音文字列」とは、ナビ発話用情報提供企業名表音文字列であり、情報提供企業をＩＴＳ車載器の利用者に音声で通知する際に用いられる。
「情報コード」とは、サービス事業者がコンテンツ情報毎にユニークに割り付けるコードであり、情報グループのヘッダに含まれる情報コードと同一のコードである。上記したように、車載器１０は、この情報コードに基づいてコンテンツ情報を特定することができる。また、当該情報コードは、後述する「ＩＤ３０」の遷移情報等に使用される。
なお、情報コードは、配信済みのコンテンツ情報と同様のコンテンツ情報をセンター装置３０が送信する場合、基本的に同一の情報コードが使用される。例えば、あるコンテンツ情報の内容が新しく更新された場合は、同一の情報コードを付して当該更新されたコンテンツ情報を車載器１０に対して配信する。これにより、車載器１０では、古いコンテンツ情報に対して新たなコンテンツ情報を上書きする。
「情報表示テキスト」とは、画面に表示するためのテキストデータであり、典型的にはコンテンツ情報の題名である。
「情報表音文字列」とは、ナビ発話用コンテンツ内容表音文字列であり、コンテンツ情報を利用者に音声で通知する際に用いられる。
「嗜好データカテゴリ（嗜好カテゴリ）」とは、情報カテゴリを示すコードであり、例えば、最大９６項目の分類でコンテンツ情報をカテゴリ分けするために用いられる。９６項目の各項目は１ｂｉｔで表される。
【００４３】
「ＩＤ０３」の情報は、コンテンツ情報の再生条件を示す情報であり、受信したコンテンツ情報を通信エリア外でも利用可能なコンテンツ情報として蓄積するか、受信したコンテンツ情報を即時再生するかについて示す情報である。基本的には、ＩＤ０３は、ＩＤ１０で配信されたコンテンツ情報の再生条件を示す。車載器１０は、ＩＤ０３に従ってコンテンツ情報を即時再生する場合、受信完了から表示までの時間は特に定められていないが、速やかに再生する。また、ＩＤ０３が即時再生を示す情報である場合、蓄積するか否かは車載器１０の任意である。ＩＤ０３が即時再生を示す情報である場合、つまり蓄積する場合、コンテンツ情報は再生されず、受信のみ行われる。サービス事業者は、全てのコンテンツ情報を配信した後、配信が終了したことを利用者に通知する。
「ＩＤ０４」の情報は、コンテンツ情報の有効期限の情報を示す情報である。
「ＩＤ０５」の情報は、コンテンツ情報で示された店舗等の営業時間等を示す情報である。
「ＩＤ１０」の情報は、対象地点情報（コンテンツ情報配信元の企業の広告情報、クーポン情報等）を示す情報である。
この対象地点情報に、動画や音声等のコンテンツ情報が格納される。
「ＩＤ２０」の情報は、コンテンツ情報のポップアップの再生地点（情報提供地点）を示す情報である。
「ＩＤ３０」の情報は、遷移の連携の有無を示す遷移情報（次に表示する画面（遷移先）を指定する情報等）である。
遷移情報は、最大８つの「次再生コード１〜８」で構成され、最大８分岐の遷移を可能とする。遷移情報は、例えば次の遷移先の情報コードを示す次再生コード等からなる。ＩＤ３０の情報はＩＤ１０の対象地点情報と関連する。
【００４４】
図６を参照して、ＩＤ１０、ＩＤ３０の情報について説明する。
図６に示す各画面Ｃ１、Ｃ２、Ｄ１〜Ｄ６において、Ｃ１及びＣ２は車載器１０側で保持している画面であり、Ｄ１〜Ｄ６は、配信されたコンテンツ情報に基づいて車載器１０において表示される画面遷移例である。ここでは、１つの情報グループは１つの画面に対応する。画面Ｄ１〜Ｄ６は、情報グループのＩＤ３０の次再生情報コードが参照されることにより画面遷移する。  画面Ｃ１は、メニュー画面であり遷移先が３つある。画面Ｃ１において「entertainment」が選択されると、サービス事業者（配信事業者）の一覧を示す画面Ｃ２に遷移する。
画面Ｃ２には遷移先が４つある。画面Ｃ２において１つの配信事業者が選択されると、選択された配信事業者の情報グループを示す画面Ｄ１に遷移する。
【００４５】
画面Ｄ１には遷移先が４つある。つまり、画面Ｄ１に対応する情報グループにはＩＤ３０の次再生情報コードが４つ格納されていることになる。画面Ｄ１において「くらし情報」が選択されると、「くらし情報」に対応する次再生情報コードが参照され、当該次再生情報コードとＩＤ０２の情報コードが一致する情報グループである画面Ｄ２に遷移する。以下の画面遷移においても同様に、ＩＤ３０の次再生情報コードと一致するＩＤ０２の情報コードをもつ情報グループが表示されるよう、処理が行われることになる。
画面Ｄ２には遷移先が３つある。画面Ｄ２において「医療・病院」が選択されると、医療・病院の一覧を示す画面Ｄ３に遷移する。画面Ｄ３には遷移先が２つある。画面Ｄ３において「休日診療病院一覧」が選択されると、休日診療病院の一覧を示す画面Ｄ４に遷移する。画面Ｄ４には遷移先が７つある。画面Ｄ４において「小児科」が選択されると、小児科の病院一覧を示す画面Ｄ５に遷移する。画面Ｄ５には遷移先が４つある。画面Ｄ５において１つの小児科病院が選択されると、選択された小児科病院の情報を示す画面Ｄ６に遷移する。画面Ｄ６には遷移先がない（つまりＩＤ３０の次再生情報コードにはデータがない）が、ＩＤ１０の対象地点情報がある。  
【００４６】
「ＩＤ４０」の情報は、詳細情報と呼ばれる情報であり、汎用的な利用をすることができる。具体的には、「ＩＤ４０」の情報は、「コピーコントロールフラグ」、「情報内容フラグ」、「詳細情報データ」、「表音文字データ」等を含む。
コピーコントロールフラグは、車載器１０がコンテンツ情報を受信した際に詳細情報データをアップリンク情報の会員情報に書き込むか否かを示すフラグである。なお、アップリンク情報とは、センター装置３０においてどのような内容のコンテンツ情報を配信するかを決定する際に用いられる情報である。また、アップリンク情報は、サービス事業者ごとに作成され、車両Ｃが立寄った地点や、車載器１０のユーザの嗜好情報、次回来店時の特典等を個別に配信するなどの多目的な情報を扱うための会員情報等が含まれる。コピーコントロールフラグがオン（値が「１」）の場合には、ＩＤ４０の詳細情報データをアップリンク情報の会員情報に書き込み、コピーコントロールフラグがオフ（値が「０」）の場合には、ＩＤ４０の詳細情報データをアップリンク情報の会員情報に書き込まないよう制御されることになる。
したがって、コピーコントロールフラグがオンになっている場合は、詳細情報データには会員情報が格納されていることになるので、上記の例では情報内容フラグは「２」の値をとることになる。
【００４７】
情報内容フラグは、詳細情報データの内容の種別を示すための識別情報である。本実施形態においては、情報内容フラグが「０」の場合は詳細情報データに情報コードが格納されていることを示し、「１」の場合は詳細情報データに串刺し検索コードが格納されていることを示す。串刺し検索コードとは、当該コンテンツ情報の種類を識別するためのコードである。例えば、サービス事業者が、串刺し検索コードが「００００１」であれば、当該コンテンツ情報はクーポンの情報であることを示し、「００００２」であれば当該コンテンツは新着情報であること等を示すことを設定すれば、車載器１０はその串刺し検索コードを用いてコンテンツ情報を検索することが可能である。情報内容フラグが「２」の場合は詳細情報データに会員情報が格納されていることを示す。
また、情報内容フラグは、コンテンツ情報の表示の際に参照され、ＩＤ４０の詳細情報データに情報コードが格納されている場合、表示部１ｅに当該情報コードに対応するコンテンツに画面遷移させるためのボタンを表示させるためにも用いられる。
【００４８】
詳細情報データは、情報コード、串刺し検索コード、会員情報等が格納される。他にも、当該コンテンツの内容の説明をするためのテキスト情報等が格納されてもよい。
表示用文字データは、サービス対象地点や画面遷移の案内を行う情報や、検索のための検索用語等、表示部１ｅに表示させてユーザを補助するための情報である。表音文字列は音声によってユーザに伝達するための情報を格納している。
なお、表示用文字データや表音文字列は、通常詳細情報データに関連するものである
【００４９】
図７に、ＩＤ４０の詳細情報のデータ形式を詳細に示す。
本実施形態においては、図７に示すように１つの情報グループにつき、ＩＤ４０の詳細情報を８つまで格納することができる。つまり、ＩＤ４０に対応するデータ領域には、図７に示す詳細情報１〜８が格納されており、使用しない詳細情報にはデータは格納されない。例えば、ＩＤ４０の詳細情報のうち、詳細情報１〜３のみ使用したい場合には詳細情報４〜８にはデータは格納しないことになる。
【００５０】
「ＩＤ５０」の情報は駐車場情報であり、コンテンツ情報で示された店舗等の駐車場の満空情報を示す。
「ＩＤ６０」の情報は、運転支援情報であり、駐車場の出入口付近／駐車場内合流／分岐・速度案内等、敷地内の運転に関して、運転の補助となる情報である。
「ＩＤ８０」の情報は、嗜好データであり、サービス事業者が配信するコンテンツ情報を最大９６項目に分類して、利用者の嗜好に合わせて配信するコンテンツ情報を選択するために利用される情報である。
【００５１】
なお、この他、異なる番号のＩＤを付与して新たな情報内容を定義してもよい。また、上記の各ＩＤのデータが全て存在する必要もない。例えば、ＩＤ５０は駐車場情報であるが、対象となるコンテンツが店舗等の施設に関するものではない場合や、施設であっても駐車場がない施設に対応するコンテンツである場合にはＩＤ５０には情報が存在しないことになる。
【００５２】
次に、動作について説明する。
なお、本発明の各実施形態で説明される「次再生コード」とは、ID30の遷移情報に含まれる次再生コード、ID=40の詳細情報の情報内容フラグが「情報コード」を示している場合の詳細情報データ（情報コード）のどちらか一方、または両方を示している。
【００５３】
図８に、受信処理を示す。
制御部４は、無線通信可能エリア内であるか否か判断する（ステップＳ１）。
無線通信可能エリア内でない場合（ステップＳ１；Ｎ）、制御部４は車両Ｃがエリア内に進入するまで待機する。
無線通信可能エリア内である場合（ステップＳ１；Ｙ）、制御部４は、コンテンツ情報を受信中か否か判断する（ステップＳ２）。
【００５４】
コンテンツ情報を受信中でない場合（ステップＳ２；Ｎ）、制御部４は、ステップＳ１１に移行する。
コンテンツ情報を受信中の場合（ステップＳ２；Ｙ）、制御部４は、各情報グループのヘッダに含まれるデータ情報量分のデータを受信したか否か判断する（ステップＳ３）。
なお、分割された情報グループを受信する場合（図４Ｂ参照）、制御部４は、ステップＳ３において、分割された全ての情報グループ（情報グループ１−１、１−２、・・・１−ｎ）を受信したか否か判断する。
【００５５】
ヘッダに含まれるデータ情報量分のデータを受信していない場合（ステップＳ３；Ｎ）、制御部４は、ステップＳ１１に移行する。
ヘッダに含まれるデータ情報量分のデータを受信した場合（ステップＳ３；Ｙ）、制御部４は、受信した情報グループの解析を行う（ステップＳ４）。例えば、制御部４は、情報グループに含まれる情報コードは終端コード（０×ＦＦＦＦＦＦＦＦＦＦＦ）であるか否か、受信した情報グループには画像データが含まれているか否か等の判断を行う。
【００５６】
制御部４は、解析済みの情報グループを記憶部１ｆに保存し（ステップＳ５）、保存した情報グループの情報コードは終端コードであるか否か判断する（ステップＳ６）。
終端コードである場合（ステップＳ６；Ｙ）、制御部４は、電源ＯＦＦの要求が受信動作中にあったか否か判断する（ステップＳ７）。
【００５７】
電源ＯＦＦの要求がある場合（ステップＳ７；Ｙ）、制御部４は、電源ＯＦＦ時処理を行う（ステップＳ８）。
【００５８】
図９に、電源ＯＦＦ時処理を示す。
制御部４は、受信した情報グループが即時再生コンテンツか否か判断する（ステップＳ２１）。なお、即時再生コンテンツとは受信完了後即時再生が指示された情報グループであって、制御部４は、ＩＤ０３によって即時再生コンテンツか否か判断する。
【００５９】
即時再生コンテンツである場合（ステップＳ２１；Ｙ）、制御部４は、受信完了コンテンツフラグに「１」をセットする（ステップＳ２２）。
即時再生コンテンツでない場合（ステップＳ２１；Ｎ）、制御部４は、受信完了車載器フラグに「１」をセットする（ステップＳ２３）。
なお、受信完了コンテンツフラグ及び受信完了車載器フラグは、記憶部１ｆに予め用意されており、電源がＯＦＦされた後も各々のフラグの状態は記憶されているものとする。また、これらのフラグは、車載器１０の電源がＯＦＦからＯＮになった際に用いられる（図１３参照）。
制御部４は、車載器１０の電源をＯＦＦにして（ステップＳ２４）、電源ＯＦＦ時処理を終了する。
【００６０】
図８のステップＳ７に戻り、電源ＯＦＦの要求がない場合（ステップＳ７；Ｎ）、制御部４は、継続動作時処理を行う（ステップＳ９）。
【００６１】
図１０に、継続動作時処理を示す。
制御部４は、受信した情報グループは、即時再生コンテンツであるか否か判断する（ステップＳ３１）。
即時再生コンテンツである場合（ステップＳ３１；Ｙ）、制御部４は、受信した情報グループを表示部１ｅに表示させる（ステップＳ３２）。
即時再生コンテンツでない場合（ステップＳ３１；Ｎ）、制御部４は、受信完了した旨を通知する画面情報（以下、「受信完了通知画面」という）を表示部１ｅに表示させる（ステップＳ３３）。なお、このとき表示される画面情報は、記憶部１ｆに予め記憶されているものとする。制御部４は、受信完了通知画面を表示させた後、ステップＳ３５に移行する。
【００６２】
制御部４は、表示部１ｅに表示させた即時再生コンテンツに次再生コードが含まれるか否か判断する（ステップＳ３４）。具体的には、制御部４は、ＩＤ３０について解析する。
【００６３】
次再生コードが含まれない場合（ステップＳ３４；Ｎ）、制御部４は、情報コードが「０×００００００００００」を関連付けた「コンテンツ表示」ボタンを生成する（ステップＳ３５）。なお、画面が遷移するコンテンツ情報において、１番始めに表示される情報グループ（トップ画面）の情報コードは「０×００００００００００」（以下、「開始コード」という）である。つまり、ここで生成される「コンテンツ表示ボタン」が押下されたとき、制御部４は、１番始めに表示すべき情報グループを表示部１ｅに表示させることとなる。つまり、前述の図６の画面Ｄ１にあたる画面が表示されることとなる。
次再生コードが含まれる場合（ステップＳ３４；Ｙ）、制御部４は、次再生コードに関連付けたボタンを表示し（ステップＳ３４ｂ）、「閉じる」ボタンを生成する（ステップＳ３６）。
制御部４は、受信完了表示遷移処理を行い（ステップＳ３７）、継続動作時処理を終了する。
【００６４】
図１１Ａ、図１１Ｂに、受信完了表示遷移処理を示す。
即時再生コンテンツが表示中の場合（ステップＳ４１；Ｙ）、制御部４は、表示中の即時再生コンテンツに次再生コードが含まれるか否か判断する（ステップＳ４２）。
【００６５】
次再生コードが含まれる場合（ステップＳ４２；Ｙ）、制御部４は、次再生コードに関連付けたボタンを表示し（ステップＳ４２ｂ）、次再生コードが関連付けられたボタンが押下されたか否か判断する（ステップＳ４３）。
ボタンが押下された場合（ステップＳ４３；Ｙ）、制御部４は、関連付けられている次再生コードの情報グループを表示部１ｅに表示させる（ステップＳ４４）。
ボタンが押下されない場合（ステップＳ４２；Ｎ）、制御部４は、「閉じる」ボタンが押下されたか否か判断する（ステップＳ４５）。
【００６６】
「閉じる」ボタンが押下されていない場合（ステップＳ４５；Ｎ）、制御部４は、無線通信可能エリア内であるか否か判断する（ステップＳ４６）。
無線通信エリア内である場合（ステップＳ４６；Ｙ）、制御部４は、即時再生コンテンツを表示してから所定時間が経過したか否か判断する（ステップＳ４７）。
所定時間が経過していない場合（ステップＳ４７；Ｎ）、制御部４は、ステップＳ４３に移行する。
また、「閉じる」ボタンが押下された場合（ステップＳ４５；Ｙ）、無線通信エリア内でない場合（ステップＳ４６；Ｎ）、所定時間が経過した場合（ステップＳ４７；Ｙ）、には、制御部４は、即時再生コンテンツの表示を終了する（ステップＳ４８）。
【００６７】
ステップＳ４１に戻り、即時再生コンテンツが表示中でない場合（ステップＳ４１；Ｎ）、又は、即時再生コンテンツに次再生コードが含まれない場合（ステップＳ４２；Ｎ）、制御部４は、「コンテンツ表示」ボタンが押下されたか否か判断する（ステップＳ４９）。
【００６８】
「コンテンツ表示」ボタンが押下された場合（ステップＳ４９；Ｙ）、制御部４は、関連付けられている情報コードの情報グループを表示部１ｅに表示させる（ステップＳ５０）。
「コンテンツ表示」ボタンが押下されない場合（ステップＳ４９；Ｎ）、制御部４は、「閉じる」ボタンが押下されたか否か判断する（ステップＳ５１）。
「閉じる」ボタンが押下されない場合（ステップＳ５１；Ｎ）、制御部４は、無線通信エリア内であるか否か判断する（ステップＳ５２）。
無線通信エリア内である場合（ステップＳ５２；Ｙ）、制御部４は、即時再生コンテンツを表示してから所定時間が経過したか否か判断する（ステップＳ５３）。
所定時間が経過していない場合（ステップＳ５３；Ｎ）、制御部４は、ステップＳ４９に移行する。
また、「閉じる」ボタンが押下された場合（ステップＳ５１；Ｙ）、無線通信エリア内でない場合（ステップＳ５２；Ｎ）、所定時間が経過した場合（ステップＳ５３；Ｙ）、には、制御部４は、表示中の画面を終了する（ステップＳ５４）。
【００６９】
図８のステップＳ６に戻り、受信した情報グループの情報コードが終端コードでない場合（ステップＳ６；Ｎ）、制御部４は、即時再生確認処理を行う（ステップＳ１０）。
【００７０】
図１２Ａに、即時再生確認処理を示す。
制御部４は、受信した情報グループは即時再生コンテンツであるか否か判断する（ステップＳ６１）。
即時再生コンテンツでない場合（ステップＳ６１；Ｎ）、制御部４は、即時再生確認処理を終了する。
即時再生コンテンツである場合（ステップＳ６１；Ｙ）、制御部４は、即時再生コンテンツを表示部１ｅに表示させて（ステップＳ６２）、即時再生確認処理を終了する。
【００７１】
また、図１２Ｂに、他の即時再生確認処理を示す。
図１２Ｂに示す他の即時再生確認処理は、
制御部４は、受信した情報グループは即時再生コンテンツであるか否か判断する（ステップＳ６１ａ）。
即時再生コンテンツでない場合（ステップＳ６１ａ；Ｎ）、制御部４は、他の即時再生確認処理を終了する。
即時再生コンテンツである場合（ステップＳ６１ａ；Ｙ）、制御部４は、即時再生の情報グループを表示部１ｅに表示中であるか否か判断する（ステップＳ６２ａ）。
【００７２】
表示中でない場合（ステップＳ６２ａ；Ｎ）、制御部４は、ステップＳ６４ａに移行する。
表示中である場合（ステップＳ６２ａ；Ｙ）、制御部４は、表示中の即時再生の情報グループを表示部１ｅから消去し（ステップＳ６３ａ）、受信した情報グループを表示部１ｅに表示させる（ステップＳ６４ａ）。
【００７３】
制御部４は、表示中の即時再生コンテンツに次再生コードがあるか否か判断する（ステップＳ６５ａ）。
次再生コードがある場合（ステップＳ６５ａ；Ｙ）、制御部４は、次再生コードに関連付けたボタンを表示する（ステップＳ６６ａ）。
制御部４は、次再生コードと関連付けられたボタンが押下されたか否か判断する（ステップＳ６７ａ）。
ボタンが押下されない場合（ステップＳ６７ａ；Ｎ）、制御部４は、他の即時再生確認処理を終了する。
ボタンが押下された場合（ステップＳ６７ａ；Ｙ）、制御部４は、次再生コードで関連付けられた情報グループを表示部１ｅに表示させて（ステップＳ６８ａ）、他の即時再生確認処理を終了する。
【００７４】
ステップＳ６５ａに戻り、表示中の即時再生コンテンツに次再生コードがない場合（ステップＳ６５ａ；Ｎ）、制御部４は、情報コードが開始コードである情報グループを関連付けた「コンテンツ表示」ボタンを生成する（ステップＳ６９ａ）。
生成した「コンテンツ表示」ボタンが押下された場合（ステップＳ７０ａ；Ｙ）、制御部４は、「コンテンツ表示」ボタンに関連付けた情報グループを再生し（ステップＳ７１ａ）、他の即時再生確認処理を終了する。
生成した「コンテンツ表示」ボタンが押下されない場合（ステップＳ７０ａ；Ｎ）、制御部４は、他の即時再生確認処理を終了する。
【００７５】
図８のステップＳ１０に戻り、制御部４は、即時再生確認処理を行った後（ステップＳ１０）、無線通信可能エリア内であるか否か判断する（ステップＳ１１）。
【００７６】
無線通信可能エリア内の場合（ステップＳ１１；Ｙ）、制御部４は、ステップＳ２に移行する。
無線通信可能エリア内でない場合には（ステップＳ１１；Ｎ）、制御部４は、エリアアウト処理を行う（ステップＳ１２）。
【００７７】
図１３に、エリアアウト時処理を示す。
制御部４は、電源ＯＦＦの要求が受信動作中にあったか否か判断する（ステップＳ７１）。
電源ＯＦＦの要求があった場合（ステップＳ７１；Ｙ）、制御部４は、受信エラーフラグに「１」をセットする（ステップＳ７２）。なお、受信エラーフラグは、記憶部１ｆにおいて予め用意されており、電源がＯＦＦされた後も受信エラーフラグの状態は記憶されているものとする。
制御部４は、受信エラーフラグを「１」にセットした後、車載器１０の電源をＯＦＦにして（ステップＳ７３）、エリアアウト時処理を終了する。
【００７８】
一方、電源ＯＦＦの要求がない場合（ステップＳ７１；Ｎ）、制御部４は、受信エラーであることを通知する画面（以下、「受信エラー通知画面」という）を表示部１ｅに表示させる（ステップＳ７４）。
その後、制御部４は、「閉じる」ボタンを生成して（ステップＳ７５）、受信エラー表示遷移処理を行う（ステップＳ７６）。受信エラー表示遷移処理を行った後、エリアアウト時処理を終了する。
【００７９】
図１４に、受信エラー表示遷移処理を示す。
制御部４は、無線通信可能エリア内であるか否か判断する（ステップＳ８１）。
無線通信可能エリア内でない場合（ステップＳ８１；Ｎ）、制御部４は、「閉じる」ボタンが押下されたか否か判断する（ステップＳ８２）。
「閉じる」ボタンが押下された場合（ステップＳ８２；Ｙ）、制御部４は、受信エラー通知画面の表示を終了して（ステップＳ８３）、ステップＳ８１に移行する。
【００８０】
「閉じる」ボタンが押下されていない場合（ステップＳ８２；Ｎ）、制御部４は、受信エラー通知画面を表示部１ｅに表示させてから所定時間が経過したか否か判断する（ステップＳ８４）。
所定時間が経過した場合（ステップＳ８４；Ｙ）、制御部４は、ステップＳ８３に移行する。また、所定時間が経過していない場合（ステップＳ８４；Ｎ）、制御部４は、ステップＳ８１に移行する。
【００８１】
ステップＳ８１に戻り、無線通信可能エリア内である場合（ステップＳ８１；Ｙ）、制御部４は、受信が中断した情報グループを再受信している旨を通知する画面（以下、「再受信通知画面」という）を表示部１ｅに表示させる（ステップＳ８５）。
その後、制御部４は、「閉じる」ボタンを生成する（ステップＳ８６）。
【００８２】
制御部４は、即時再生コンテンツを受信したか否か判断する（ステップＳ８７）。
即時再生コンテンツを受信しない場合（ステップＳ８７；Ｎ）、制御部４は、「閉じる」ボタンが押下されたか否か判断する（ステップＳ８８）。
「閉じる」ボタンが押下された場合（ステップＳ８８；Ｙ）、制御部４は、再受信通知画面の表示を終了して（ステップＳ８９）、ステップＳ８７に移行する。
「閉じる」ボタンが押下されない場合（ステップＳ８８；Ｎ）、制御部４は、再受信通知画面を表示させてから所定時間が経過したか否か判断する（ステップＳ９０）。
所定時間が経過した場合（ステップＳ９０；Ｙ）、制御部４は、ステップＳ８９に移行する。また、所定時間が経過していない場合（ステップＳ９０；Ｎ）、制御部４は、ステップＳ８７に移行する。
【００８３】
ステップＳ８７に戻り、即時再生コンテンツを受信した場合（ステップＳ８７；Ｙ）、制御部４は、即時再生コンテンツを表示部１ｅに表示させて（ステップＳ９１）、受信エラー表示遷移処理を終了する。
以上、図８〜図１４の処理を行い、制御部４は受信処理を終了する。
【００８４】
次に、図１５を参照して、起動時処理について説明する。
図１５の起動時処理は、上記してきた図８〜図１４の受信処理を行った後に一度車載器１０の電源がＯＦＦになり、その後車載器１０の電源がＯＮとなった際の処理である。
【００８５】
車載器１０の電源がＯＮにされると、制御部４は、記憶部１ｆに保存されている受信完了コンテンツフラグを読み出し、受信完了コンテンツフラグが「１」であるか否か判断する（ステップＳ１０１）。
【００８６】
受信完了コンテンツフラグが「１」である場合（ステップＳ１０１；Ｙ）、制御部４は、直近に受信したコンテンツ情報（最後に受信したコンテンツ情報）から、情報コードが終端コードである情報グループを表示部１ｅに表示させる（ステップＳ１０２）。そして、制御部４は、受信完了コンテンツフラグに「０」をセットする（ステップＳ１０３）。
【００８７】
制御部４は、表示中の情報グループに次再生コードが含まれているか否か判断する（ステップＳ１０４）。
次再生コードが含まれていない場合（ステップＳ１０４；Ｎ）、制御部４は、ステップＳ１１０に移行する。
次再生コードが含まれている場合（ステップＳ１０４；Ｙ）、制御部４は、次再生コードに関連付けたボタンを表示し（ステップＳ１０４ｂ）、「閉じる」ボタンを生成する（ステップＳ１０５）。そして、制御部４は、受信完了表示遷移処理（図９参照）を行い（ステップＳ１０６）、起動時処理を終了する。
【００８８】
ステップＳ１０１に戻り、受信完了フラグが「１」でない場合（ステップＳ１０１；Ｎ）、制御部４は、受信完了車載器フラグが「１」であるか否か判断する（ステップＳ１０７）。
受信完了車載器フラグが「１」である場合（ステップＳ１０７；Ｙ）、制御部４は、受信完了通知画面を表示部１ｅに表示させて（ステップＳ１０８）、受信完了車載器フラグを「０」にセットする（ステップＳ１０９）。そして、制御部４は、「コンテンツ表示」ボタンを生成し（ステップＳ１１０）、ステップＳ１０５に移行する。
【００８９】
一方、受信完了車載器フラグが「１」でない場合（ステップＳ１０７；Ｎ）、制御部４は、受信エラーフラグが「１」であるか否か判断する（ステップＳ１１１）。
受信エラーフラグが「１」でない場合（ステップＳ１１１；Ｎ）、制御部４は、起動時処理を終了する。
受信エラーフラグが「１」である場合（ステップＳ１１１；Ｙ）、制御部４は、受信エラー通知画面を表示部１ｅに表示させて（ステップＳ１１２）、受信エラーフラグに「０」をセットする（ステップＳ１１３）。
【００９０】
制御部４は、「閉じる」ボタンを生成して（ステップＳ１１４）、受信エラー表示遷移処理（図１４参照）を行い（ステップＳ１１５）、起動時処理を終了する。
【００９１】
以下、車載器１０の表示部１ｅに表示される画面例について説明する。
図１６に、終端コードの情報グループが即時再生の情報グループであって、次再生コードが１つ含まれている場合に表示される受信完了通知画面の一例を示す。図１６に示す受信完了通知画面は、受信完了表示遷移処理のステップＳ４１において表示される画面である。
図１６に示す受信完了通知画面では、受信が完了した旨の通知とともに、次再生コードと対応付けたボタンと「閉じる」ボタンとが表示される。図１６の画面上で「１」と表示されたボタンが次再生コードで示す情報コードを有する情報グループへ遷移するボタンであることを示している。なお、次再生コードが複数含まれる場合には、その数に対応してボタンが表示されることとなる。次再生コードのボタンは、次再生コードがＩＤ＝３０の遷移情報に含まれるデータである場合には、ＩＤ＝３０の次再生コード１〜８に対応した数字のボタンが表示される。次再生コードがＩＤ＝４０の詳細情報データである場合には、詳細情報の表示文字データが表示される。
【００９２】
図１７に、終端コードの情報グループが即時再生の情報グループでなく、次再生コードが１つ含まれている場合に表示される受信完了画面の一例を示す。図１７に示す受信完了通知画面は、継続動作時処理のステップＳ３３において表示される画面である。図１７に示す受信完了通知画面では、受信が完了した旨の通知とともに、次再生コードと対応付けたボタンと「閉じる」ボタンとが表示される。
【００９３】
図１８に、受信エラー発生時に表示される受信エラー通知画面の一例を示す。図１８に示す受信エラー通知画面は、エリアアウト時処理のステップＳ７４において表示される画面である。図１８に示す受信エラー通知画面では、受信処理が中断して受信が完了していない旨の通知とともに、「閉じる」ボタンが表示される。
【００９４】
図１９に、受信エラー発生後に、再び無線通信可能エリアに進入した場合に表示される受信エラー通知画面の一例を示す。図１９に示す受信エラー通知画面は、起動時処理のステップＳ１１２において表示される画面である。図１９に示す受信エラー通知画面では、前回の受信処理が中断した旨の通知とともに、再受信している旨の通知と「閉じる」ボタンとが表示される。
【００９５】
以上のように、第１実施形態によれば、コンテンツ情報を構成する複数の情報グループを順次に送信する路側無線装置２０において、最後に送信する情報グループに終端コード（０×ＦＦＦＦＦＦＦＦＦＦ）を含ませて送信することができる。よって、路側無線装置２０は、コンテンツ情報の送信が完了した旨を車載器１０に通知することができる。
【００９６】
また、終端コードを含ませた情報グループに、最初に送信した情報グループを遷移先とする次再生コードを更に含ませることができる。よって、路側無線装置２０は、送信した複数の情報グループのうち、ユーザに最初に再生してもらいたい情報グループを車載器１０に通知することができる。
【００９７】
また、コンテンツ情報を構成する複数の情報グループを順次に受信する車載器１０において、終端コードに基づき、コンテンツ情報の受信処理を完了したか否かについて判断することができる。
【００９８】
また、通常、ユーザによって車両のエンジンが切られた場合、連動して車載器１０の電源もＯＦＦとなる。しかし、このような場合であっても、受信処理が完了するまで、車載器１０は備え付けのバッテリーにて継続して受信処理を行うことができる。そして、車載器１０は、受信完了後に電源をＯＦＦにすることができる。
【００９９】
また、車載器１０は、受信が完了した場合、受信完了通知画面を表示部１ｅに表示させることができる。よって、ユーザはコンテンツ情報の受信が完了したことを把握することができる。
【０１００】
また、終端コードを含む情報グループには、最初に再生すべき次再生コードが含まれる。よって、車載器１０は、遷移先を当該次再生コードで示される情報グループとする「コンテンツ表示」ボタンを生成することができ、ユーザは「コンテンツ表示」ボタンを押下してトップ画面として再生すべき情報グループを表示させることができる。
【０１０１】
＜第２実施形態＞
次に、第２実施形態について説明する。
第２実施形態では、必要最小限の解析処理を行う受信処理（図２０〜図２４参照）について説明する。なお、配信システム１００、車載器１０、路側無線装置２０、センター装置３０の基本的構成は、第１実施形態と同様であるため、ここでの説明は省略する。
【０１０２】
図２０に、最小限の解析による受信処理を示す。
なお、図２０に示す受信処理では、図８のステップＳ４における情報グループの解析処理を必要最小限のものとし、受信処理に費やす時間の短縮化を図ることを目的としている。
【０１０３】
制御部４は、無線通信可能エリア内であるか否か判断する（ステップＳ１２１）。
無線通信可能エリア内でない場合（ステップＳ１２１；Ｎ）、制御部４は車両Ｃがエリア内に進入するまで待機する。
無線通信可能エリア内である場合（ステップＳ１２１；Ｙ）、制御部４は、コンテンツ情報を受信中か否か判断する（ステップＳ１２２）。
【０１０４】
コンテンツ情報を受信中でない場合（ステップＳ１２２；Ｎ）、制御部４は、ステップＳ１３０に移行する。
コンテンツ情報を受信中の場合（ステップＳ１２２；Ｙ）、制御部４は、各情報グループのヘッダに含まれるデータ情報量分のデータを受信したか否か判断する（ステップＳ１２３）。
なお、分割された情報グループを受信する場合（図４Ｂ参照）、制御部４は、ステップＳ３において、分割された全ての情報グループ（情報グループ１−１、１−２、・・・１−ｎ）を受信したか否か判断する。
【０１０５】
ヘッダに含まれるデータ情報量分のデータを受信していない場合（ステップＳ１２３；Ｎ）、制御部４は、ステップＳ１３０に移行する。
ヘッダに含まれるデータ情報量分のデータを受信した場合（ステップＳ１２３；Ｙ）、制御部４は、受信した情報グループについて、ヘッダ及びＩＤ０３、又はＩＤ０２及びＩＤ０３の解析を行う（ステップＳ１２４）。つまり、制御部４は、受信した情報グループの情報コードを取得し、当該情報グループが即時再生コンテンツであるか否かについて判断する。
【０１０６】
制御部４は、ヘッダ又はＩＤ０２の解析を行い、受信した情報グループの情報コードが終端コードであるか否か判断する（ステップＳ１２５）。
終端コードである場合（ステップＳ１２５；Ｙ）、制御部４は、電源ＯＦＦの要求があるか否か判断する（ステップＳ１２６）。
【０１０７】
電源ＯＦＦの要求がある場合（ステップＳ１２６；Ｙ）、制御部４は、電源ＯＦＦ時処理を行う（ステップＳ１２７）。
【０１０８】
図２１に、電源ＯＦＦ時処理を示す。
制御部４は、受信した情報グループを記憶部１ｆに保存する（ステップＳ１４１）。
制御部４は、受信した情報グループが即時再生コンテンツか否か判断する（ステップＳ１４２）。
【０１０９】
即時再生コンテンツである場合（ステップＳ１４２；Ｙ）、制御部４は、終端コードを含む情報グループに、次再生コードが含まれるか否か判断する（ステップＳ１４３）。
次再生コードが含まれる場合（ステップＳ１４３；Ｙ）、受信完了コンテンツフラグに「１」をセットする（ステップＳ１４４）。
【０１１０】
一方、即時再生コンテンツでない場合（ステップＳ１４２；Ｎ）、又は次再生コードが含まれない場合（ステップＳ１４３；Ｎ）、制御部４は、受信完了車載器フラグに「１」をセットする（ステップＳ１４５）。
【０１１１】
制御部４は、記憶部１ｆに保存した情報グループの解析を行い（ステップＳ１４６）、車載器１０の電源をＯＦＦにして（ステップＳ１４７）、電源ＯＦＦ時処理を終了する。
【０１１２】
図２０のステップＳ１２６に戻り、電源ＯＦＦの要求がない場合（ステップＳ１２６；Ｎ）、制御部４は、継続動作時処理を行う（ステップＳ１２８）。
【０１１３】
図２２に、継続動作時処理を示す。
制御部４は、受信した情報グループが即時再生コンテンツであるか否か判断する（ステップＳ１５１）。
即時再生コンテンツである場合（ステップＳ１５１；Ｙ）、制御部４は、受信した情報グループを解析し（ステップＳ１５２）、表示部１ｅに表示させる（ステップＳ１５３）。
制御部４は、表示中の情報グループに次再生コードが含まれるか否か判断する（ステップＳ１５４）。
【０１１４】
一方、即時再生コンテンツでない場合（ステップＳ１５１；Ｎ）、制御部４は、受信した情報グループを記憶部１ｆに保存し（ステップＳ１５５）、受信完了通知画面を表示部１ｅに表示させる（ステップＳ１５６）。
そして、制御部４は、保存した情報グループを解析し（ステップＳ１５７）、開始コードを関連付けた「コンテンツ表示」ボタンを生成する（ステップＳ１５８）。
【０１１５】
ステップＳ１５４に戻り、次再生コードが含まれない場合（ステップＳ１５４；Ｎ）、制御部４は、ステップＳ１５８に移行する。
次再生コードが含まれる場合（ステップＳ１５４；Ｙ）、制御部４は、次再生コードに関連付けたボタンを表示し（ステップＳ１５４ｂ）、「閉じる」ボタンを生成し（ステップＳ１５９）、受信完了表示遷移処理を行う（ステップＳ１６０）。なお、受信完了表示遷移処理は、図１１に示した処理と同様であるため、ここでの説明は省略する。
【０１１６】
図２０のステップＳ１２５に戻り、受信した情報グループの情報コードが終端コードでない場合（ステップＳ１２５；Ｎ）、制御部４は、即時再生確認処理を行う（ステップＳ１２９）。
【０１１７】
図２３に、即時再生確認処理を示す。
制御部４は、受信した情報グループは即時再生コンテンツであるか否か判断する（ステップＳ１６１）。
即時再生コンテンツである場合（ステップＳ１６１；Ｙ）、制御部４は、受信した情報グループを解析し（ステップＳ１６２）、即時再生コンテンツを表示部１ｅに表示させて（ステップＳ１６３）、即時再生確認処理を終了する。
一方、即時再生コンテンツでない場合（ステップＳ１６１；Ｎ）、制御部４は、受信した情報グループを記憶部１ｆに保存して（ステップＳ１６４）、即時再生確認処理を終了する。
【０１１８】
図２０のステップＳ１２９に戻り、制御部４は、即時再生確認処理を行った後（ステップＳ１２９）、無線通信可能エリア内であるか否か判断する（ステップＳ１３０）。
【０１１９】
無線通信可能エリア内である場合（ステップＳ１３０；Ｙ）、制御部４は、ステップＳ１２２に移行する。
無線通信可能エリア内でない場合には（ステップＳ１３０；Ｎ）、制御部４は、エリアアウト時処理を行う（ステップＳ１３１）。
【０１２０】
図２４に、エリアアウト時処理を示す。
制御部４は、電源ＯＦＦの要求が受信動作中にあったか否か判断する（ステップＳ１７１）。
電源ＯＦＦの要求があった場合（ステップＳ１７１；Ｙ）、制御部４は、受信エラーフラグに「１」をセットする（ステップＳ１７２）。
制御部４は、受信エラーフラグを「１」にセットした後、車載器１０の電源をＯＦＦにして（ステップＳ１７３）、エリアアウト時処理を終了する。
【０１２１】
一方、電源ＯＦＦの要求がない場合（ステップＳ１７１；Ｎ）、制御部４は、受信エラー通知画面を表示部１ｅに表示させる（ステップＳ１７４）。
その後、制御部４は、「閉じる」ボタンを生成して（ステップＳ１７５）、受信エラー表示遷移処理を行う（ステップＳ１７６）。受信エラー表示遷移処理を行った後、エリアアウト時処理を終了する。なお、受信エラー表示遷移処理は、図１４の処理と同様であるため、ここでの説明は省略する。
以上、図２０〜図２４の処理を行い、制御部４は必要最小限の解析による受信処理を終了する。
【０１２２】
以上のように、第２実施形態によれば、受信した情報グループの解析を必要最小限のものとし、処理の短縮化を図ることができる。
【０１２３】
＜第３実施形態＞
次に、第３実施形態について説明する。
第３実施形態では、車載器１０が受信した情報グループに次再生コードが含まれる場合であって、かつ、当該情報グループが初期画面情報である場合の処理について、特に説明する。ここで、初期画面情報とは、コンテンツ情報に必ず含まれる情報グループであり、１番始めに再生される情報グループである。
【０１２４】
なお、第３実施形態の説明に際して、配信システム１００、車載器１０、路側無線装置２０、センター装置３０の基本的構成は第１実施形態と同様であるため、ここでの説明は省略する。また、受信処理（第１実施形態：図８〜図１４、第２実施形態：図２０〜図２４）についても、基本的処理は同様であるため、異なる処理についてのみ説明する。
【０１２５】
図２５に、初期画面情報に次再生コードが含まれる場合であって、かつ、受信処理において情報グループの全てについての解析を行う場合の継続動作時処理を示す。なお、図２５の処理は、図１０の変形例である。
【０１２６】
制御部４は、受信した情報グループは、即時再生コンテンツであるか否か判断する（ステップＳ１８１）。
即時再生コンテンツである場合（ステップＳ１８１；Ｙ）、制御部４は、受信した情報グループを表示部１ｅに表示させる（ステップＳ１８２）。
即時再生コンテンツでない場合（ステップＳ１８１；Ｎ）、制御部４は、受信完了通知画面を表示部１ｅに表示させる（ステップＳ１８３）。
制御部４は、受信完了通知画面を表示させた後、ステップＳ１８５に移行する。
【０１２７】
制御部４は、表示部１ｅに表示させた即時再生コンテンツに次再生コードが含まれるか否か判断する（ステップＳ１８４）。
次再生コードが含まれない場合（ステップＳ１８４；Ｎ）、制御部４は、受信完了後次再生コードを保存しているか否か判断する（ステップＳ１８５）。ここで、受信完了後次再生コードとは、後述する初期画面情報に含まれる次再生コードをいう。
【０１２８】
受信完了後次再生コードを保存している場合（ステップＳ１８５；Ｙ）、制御部４は、受信完了後次再生コードを関連付けた「コンテンツ表示」ボタンを生成する（ステップＳ１８６）。なお、このとき生成する「コンテンツ表示ボタン」は、複数であってもよい。
次再生コードを保存していない場合（ステップＳ１８５；Ｎ）、制御部４は、開始コードを関連付けた「コンテンツ表示ボタン」を生成する（ステップＳ１８７）。
【０１２９】
次再生コードがある場合（ステップＳ１８４；Ｙ）、制御部４は、次再生コードに関連付けたボタンを表示し（ステップＳ１８４ｂ）、「閉じる」ボタンを生成する（ステップＳ１８８）。そして、制御部４は、受信完了表示遷移処理を行い（ステップＳ１８９）、継続動作時処理を終了する。なお、受信完了表示遷移処理は、図９と同様であるため、ここでの説明は省略する。
【０１３０】
次に、図２６を参照して、初期画面情報に次再生コードが含まれる場合であって、かつ、受信処理において情報グループの全てについての解析を行う場合の即時再生確認処理を説明する。なお、図２６の処理は、図１２の変形例である。
【０１３１】
制御部４は、受信した情報グループは即時再生コンテンツであるか否か判断する（ステップＳ１９１）。
即時再生コンテンツである場合（ステップＳ１９１；Ｙ）、制御部４は、即時再生コンテンツを表示部１ｅに表示させる（ステップＳ１９２）。
【０１３２】
制御部４は、今回のコンテンツ情報の受信処理で即時再生コンテンツを初めて受信したか否か判断する（ステップＳ１９３）。
初めての受信である場合（ステップＳ１９３；Ｙ）、制御部４は、表示中の即時再生コンテンツに次再生コードが含まれるか否か判断する（ステップＳ１９４）。
【０１３３】
次再生コードが含まれる場合（ステップＳ１９４；Ｙ）、制御部４は、表示中の即時再生コンテンツの次再生コードを受信完了後次再生コードとして全て記憶部１ｆに保存し（ステップＳ１９５）、即時再生確認処理を終了する。
一方、即時再生コンテンツでない場合（ステップＳ１９１；Ｎ）、初めての受信でない場合（ステップＳ１９３；Ｎ）、又は次再生コードが含まれない場合（ステップＳ１９４；Ｎ）、制御部４は、即時再生確認処理を終了する。
【０１３４】
次に、図２７を参照して、初期画面情報に次再生コードが含まれる場合であって、かつ、受信処理において情報グループの必要最小限の解析を行う場合の継続動作時処理を説明する。なお、図２７の処理は、図２２の変形例である。
【０１３５】
制御部４は、受信した情報グループが即時再生コンテンツであるか否か判断する（ステップＳ２０１）。
即時再生コンテンツである場合（ステップＳ２０１；Ｙ）、制御部４は、受信した情報グループを解析し（ステップＳ２０２）、表示部１ｅに表示させる（ステップＳ２０３）。
そして、制御部４は、表示中の情報グループに次再生コードが含まれるか否か判断する（ステップＳ２０４）。
【０１３６】
一方、即時再生コンテンツでない場合（ステップＳ２０１；Ｎ）、制御部４は、受信した情報グループを記憶部１ｆに保存し（ステップＳ２０５）、受信完了通知画面を表示部１ｅに表示させる（ステップＳ２０６）。
そして、制御部４は、保存した情報グループを解析し（ステップＳ２０７）、受信完了後次再生コードを保存しているか否か判断する（ステップＳ２０８）。
【０１３７】
受信完了後次再生コードを保存している場合（ステップＳ２０８；Ｙ）、制御部４は、受信完了後次再生コードを関連付けた「コンテンツ表示」ボタンを生成する（ステップＳ２０９）。
受信完了後次再生コードを保存していない場合（ステップＳ２０８；Ｎ）、制御部４は、開始コードを関連付けた「コンテンツ表示」ボタンを生成する（ステップＳ２１０）。
【０１３８】
ステップＳ２０４に戻り、次再生コードが含まれる場合（ステップＳ２０４；Ｙ）、制御部４は、次再生コードに関連付けたボタンを表示し（ステップＳ２０４ｂ）、「閉じる」ボタンを生成し（ステップＳ２１１）、受信完了表示遷移処理を行う（ステップＳ２２２）。なお、受信完了表示遷移処理は、図１１に示した処理と同様であるため、ここでの説明は省略する。
制御部４は、以上の処理を行い、継続動作時処理を終了する。
【０１３９】
図２８に、初期画面情報に次再生コードが含まれる場合であって、かつ、受信処理において情報グループの必要最小限の解析を行う場合の即時再生確認処理を示す。なお、図２８は、図２３の変形例である。
【０１４０】
制御部４は、受信した情報グループが即時再生コンテンツであるか否か判断する（ステップＳ２３１）。
即時再生コンテンツでない場合（ステップＳ２３１；Ｎ）、制御部４は、受信した情報グループを記憶部１ｆに保存して（ステップＳ２３２）、即時再生確認処理を終了する。
即時再生コンテンツである場合（ステップＳ２３１；Ｙ）、制御部４は、受信した情報グループを解析し（ステップＳ２３３）、即時再生コンテンツを表示部１ｅに表示させて（ステップＳ２３４）、制御部４は、今回のコンテンツ情報の受信処理で即時再生コンテンツを初めて受信したか否か判断する（ステップＳ２３５）。
【０１４１】
初めての受信である場合（ステップＳ２３５；Ｙ）、制御部４は、表示中の即時再生コンテンツに次再生コードが含まれるか否か判断する（ステップＳ２３６）。
【０１４２】
次再生コードが含まれる場合（ステップＳ２３６；Ｙ）、制御部４は、表示中の即時再生コンテンツの次再生コードを受信完了後次再生コードとして記憶部１ｆに保存し（ステップＳ２３７）、即時再生確認処理を終了する。
一方、初めての受信でない場合（ステップＳ２３５；Ｎ）、又は、次再生コードが含まれない場合（ステップＳ２３６；Ｎ）、制御部４は、即時再生確認処理を終了する。
【０１４３】
図２９を参照して、起動時処理を説明する。
なお、図２９に示す起動時処理は、初期画面情報に次再生コードが含まれていた場合、つまり、図２５〜図２８における受信処理を行った場合の起動時処理である。
【０１４４】
車載器１０の電源がＯＮにされると、制御部４は、記憶部１ｆに保存されている受信完了コンテンツフラグを読み出し、受信完了フラグが「１」であるか否か判断する（ステップＳ２４１）。
【０１４５】
受信完了フラグが「１」である場合（ステップＳ２４１；Ｙ）、制御部４は、直近に受信したコンテンツ情報から、情報コードが終端コードである情報グループを表示部１ｅに表示させる（ステップＳ２４２）。そして、制御部４は、受信完了コンテンツフラグに「０」をセットする（ステップＳ２４３）。
【０１４６】
制御部４は、表示中の情報グループに次再生コードが含まれているか否か判断する（ステップＳ２４４）。
次再生コードが含まれていない場合（ステップＳ２４４；Ｎ）、制御部４は、ステップＳ２５０に移行する。
次再生コードが含まれている場合（ステップＳ２４４；Ｙ）、制御部４は、次再生コードに関連付けたボタンを表示し（ステップＳ２４４ｂ）、「閉じる」ボタンを生成する（ステップＳ２４５）。そして、制御部４は、受信完了表示遷移処理（図１１参照）を行い（ステップＳ２４６）、起動時処理を終了する。
【０１４７】
ステップＳ２４１に戻り、受信完了フラグが「１」でない場合（ステップＳ２４１；Ｎ）、制御部４は、受信完了車載器フラグが「１」であるか否か判断する（ステップＳ２４７）。
受信完了車載器フラグが「１」である場合（ステップＳ２４７；Ｙ）、制御部４は、受信完了通知画面を表示部１ｅに表示させて（ステップＳ２４８）、受信完了車載器フラグを「０」にセットする（ステップＳ２４９）。
【０１４８】
制御部４は、受信完了後次再生コードを保存しているか否か判断する（ステップＳ２５０）。
受信完了後次再生コードを保存している場合（ステップＳ２５０；Ｙ）、制御部４は、受信完了後次再生コードを関連付けた「コンテンツ表示」ボタンを生成する（ステップＳ２５１）。
受信完了後次再生コードを保存していない場合（ステップＳ２５０；Ｎ）、制御部４は、開始コードを関連付けた「コンテンツ表示」ボタンを生成する（ステップＳ２５２）。
【０１４９】
制御部４は、「コンテンツ表示」ボタンを生成した後（ステップＳ２５１、Ｓ２５２）、ステップＳ２４５に移行する。
【０１５０】
ステップＳ２４７に戻り、受信完了車載器フラグが「１」でない場合（ステップＳ２４７；Ｎ）、制御部４は、受信エラーフラグが「１」であるか否か判断する（ステップＳ２５３）。
受信エラーフラグが「１」でない場合（ステップＳ２５３；Ｎ）、制御部４は、起動時処理を終了する。
受信エラーフラグが「１」である場合（ステップＳ２５３；Ｙ）、制御部４は、受信エラー通知画面を表示部１ｅに表示させて（ステップＳ２５４）、受信エラーフラグを「０」にセットする（ステップＳ２５５）。
【０１５１】
制御部４は、「閉じる」ボタンを生成して（ステップＳ２５６）、受信エラー表示遷移処理（図１２参照）を行い（ステップＳ２５７）、起動時処理を終了する。
【０１５２】
図３０に、初期画面の一例を示す。
図３０に示す初期画面は、車載器１０が１番始めに受信する情報グループであって、即時再生の情報グループである。また、図３０に示す初期画面は、継続動作時処理のステップＳ１８２において表示される画面である。
図３０に示すように、初期画面では、所定のメッセージが表示されるとともに、関連する他の情報グループを受信中である旨が表示される。
【０１５３】
図３１に、車載器１０が１番始めに受信する即時再生の情報グループに、次再生コードが複数含まれていた場合に表示される受信完了通知画面の一例を示す。
図３１に示す受信完了通知画面は継続動作処理のステップＳ１８３または起動時処理のステップＳ２０６において表示される画面である。図３１に示す受信完了通知画面では、受信が完了した旨の通知とともに、各次再生コードと対応付けた「コンテンツ表示」ボタンと「閉じる」ボタンとが表示される。また、図３１で示されている「コンテンツ表示」ボタンは、継続動作時処理のステップＳ２０９または起動時処理のステップＳ２５１で生成されるボタンである。コンテンツ表示ボタン上に表示するボタン名称は、各次再生コードに示される情報コードを有する情報グループのＩＤ０２に含まれている情報表示用テキストや企業表示用テキストを使用することで、画面の遷移先を明確にすることができる。また次再生コードがＩＤ＝４０の詳細情報データである場合には、詳細情報に含まれる表示用文字データを利用してボタン名称を表示してもよい。
【０１５４】
以上のように、第３実施形態によれば、初期画面情報に次再生コードが含まれる場合、当該次再生コードを関連付けた「コンテンツ表示」ボタンを生成し、始めに再生してほしい情報グループへユーザを誘導することができる。また、「コンテンツ表示」ボタンを複数生成し、生成した複数の「コンテンツ表示」ボタンには即時再生の情報グループを対応付けることとしてもよい。これにより、複数の即時再生の情報グループにユーザを誘導することができる。
【図面の簡単な説明】
【０１５５】
【図１】配信システムの構成を示す図である。
【図２】路側無線装置の構成を示す図である。
【図３】車載器の構成を示す図である。
【図４Ａ】コンテンツ情報のデータ構成例を示す図である。
【図４Ｂ】情報グループの他のデータ構成例を示す図である。
【図５】ＩＤの概要を示す図である。
【図６】画面遷移を説明する図である。
【図７】詳細情報のデータ構成例を示す図である。
【図８】受信処理を示すフロー図である。
【図９】電源ＯＦＦ時処理を示すフロー図である。
【図１０】継続動作時処理を示すフロー図である。
【図１１Ａ】受信完了表示遷移処理を示すフロー図である。
【図１１Ｂ】受信完了表示遷移処理を示すフロー図である。
【図１２Ａ】即時再生確認処理を示すフロー図である。
【図１２Ｂ】他の即時再生確認処理を示すフロー図である。
【図１３】エリアアウト時処理を示すフロー図である。
【図１４】受信エラー表示遷移処理を示すフロー図である。
【図１５】起動時処理を示すフロー図である。
【図１６】受信完了通知画面の一例を示す図である。
【図１７】受信完了通知画面の一例を示す図である。
【図１８】受信エラー通知画面の一例を示す図である。
【図１９】受信エラー通知画面の一例を示す図である。
【図２０】最小限の解析による受信処理を示すフロー図である。
【図２１】電源ＯＦＦ時処理を示すフロー図である。
【図２２】継続動作時処理を示すフロー図である。
【図２３】即時再生確認処理を示すフロー図である。
【図２４】エリアアウト時処理を示すフロー図である。
【図２５】継続動作時処理を示すフロー図である。
【図２６】即時再生確認処理を示すフロー図である。
【図２７】継続動作時処理を示すフロー図である。
【図２８】即時再生確認処理を示すフロー図である。
【図２９】起動時処理を示すフロー図である。
【図３０】初期画面の一例を示す図である。
【図３１】受信完了通知画面の一例を示す図である。
【符号の説明】
【０１５６】
１００  配信システム
１０    車載器
２０    路側無線装置
３０    センター装置
１      カーナビ部
２      通信モジュール
３      ＤＳＲＣ部
４      制御部
【図１】
0005195007.tif 000002
【図２】
0005195007.tif 000003
【図３】
0005195007.tif 000004
【図４Ａ】
0005195007.tif 000005
【図４Ｂ】
0005195007.tif 000006
【図５】
0005195007.tif 000007
【図６】
0005195007.tif 000008
【図７】
0005195007.tif 000009
【図８】
0005195007.tif 000010
【図９】
0005195007.tif 000011
【図１０】
0005195007.tif 000012
【図１１Ａ】
0005195007.tif 000013
【図１１Ｂ】
0005195007.tif 000014
【図１２Ａ】
0005195007.tif 000015
【図１２Ｂ】
0005195007.tif 000016
【図１３】
0005195007.tif 000017
【図１４】
0005195007.tif 000018
【図１５】
0005195007.tif 000019
【図１６】
0005195007.tif 000020
【図１７】
0005195007.tif 000021
【図１８】
0005195007.tif 000022
【図１９】
0005195007.tif 000023
【図２０】
0005195007.tif 000024
【図２１】
0005195007.tif 000025
【図２２】
0005195007.tif 000026
【図２３】
0005195007.tif 000027
【図２４】
0005195007.tif 000028
【図２５】
0005195007.tif 000029
【図２６】
0005195007.tif 000030
【図２７】
0005195007.tif 000031
【図２８】
0005195007.tif 000032
【図２９】
0005195007.tif 000033
【図３０】
0005195007.tif 000034
【図３１】
0005195007.tif 000035